(57)【要約】      （修正有）【課題】  温度変化の影響を考慮した高精度な流速及び流量測定を可能とする。【解決手段】  配管の外壁面に設置した超音波送受信手段から該配管内の流体へ超音波を発信し、該流体内の反射体に反射された超音波エコーのドップラー周波数に基づき、流体の流速分布を計測するクランプオン型のドップラー式超音波流速分布計において、超音波送受信手段の超音波振動子１３と配管の外壁面との間に、該超音波振動子１３を所定角度に傾斜させて超音波を流体に伝送するための楔１４を介在させ、該楔１４の温度を温度センサー１５により測定するとともに、該測定結果から楔の音速を導き出し、これら楔の音速，ドップラー周波数，楔内の超音波傾斜角及び超音波送受信手段の送信周波数を、特定の式に代入し流体の流速を算出する構成としてある。【選択図】図２
2005241628.tif 000002
【特許請求の範囲】
【請求項１】
配管の外壁面に設置した超音波送受信手段から該配管内の流体へ超音波を発信し、該流体内の反射体に反射された超音波エコーのドップラー周波数に基づき、前記流体内の流速分布を計測するクランプオン型のドップラー式超音波流速分布計において、
前記超音波送受信手段の超音波振動子と前記配管の外壁面との間に、該超音波振動子を所定角度に傾斜させて超音波を前記流体に伝送するための楔を介在させ、
該楔の温度を温度センサーにより測定するとともに、該測定結果から楔の音速を導き出し、これら楔の音速，ドップラー周波数，楔の超音波傾斜角及び超音波送受信手段の送信周波数を、下記（１）式に代入し前記流体の流速を算出することを特徴とするドップラー式超音波流速分布計。
【数１】
2005241628.tif 000012
但し、ｖ：流体の流速，Ｃw：楔の音速，θw：楔内の超音波傾斜角，ｆd：ドップラー周波数，ｆ0：超音波送受信手段の送信周波数
【請求項２】
配管の外壁面に設置した超音波送受信手段から該配管内の流体へ超音波を発信し、該流体内の反射体に反射された超音波エコーのドップラー周波数に基づき、前記流体内の流速分布を計測するクランプオン型のドップラー式超音波流速分布計において、
前記超音波送受信手段の超音波振動子と前記配管の外壁面との間に、該超音波振動子を所定角度に傾斜させて超音波を前記流体に伝送するための第１楔を介在させ、
一方、前記流体の進行方向を基準にして前記第１楔よりも後方に、該第１楔とほぼ同一構成の第２楔を配置し、該第２楔における前記第１楔の超音波送受信手段の超音波振動子と前記配管の外壁面との中間部に対応する部分の温度を温度センサーにより測定し、
該測定結果から楔の音速を導き出し、これら楔の音速，ドップラー周波数，楔の超音波傾斜角及び超音波送受信手段の送信周波数を、下記（１）式に代入し前記流体の流速を算出することを特徴とするドップラー式超音波流速分布計。
【数２】
2005241628.tif 000013
但し、ｖ：流体の流速，Ｃw：楔の音速，θw：楔内の超音波傾斜角，ｆd：ドップラー周波数，ｆ0：超音波送受信手段の送信周波数
【請求項３】
前記温度センサーを感温抵抗とし、該温度センサーを前記楔又は第２楔とほぼ同等の膨張係数を有する充填材とともに該楔又は第２楔に埋設したことを特徴とする請求項１又は２記載のドップラー式超音波流速分布計。
【発明の詳細な説明】
【技術分野】
【０００１】
本発明は、配管内の流体中に存在する浮遊粒子や気泡等に反射された超音波エコーのドップラー周波数に基づいて流速分布を計測するドップラー式超音波流速分布計に関し、特に、前記配管の外壁面に楔を介して超音波送受信手段を設置（クランプオン）するドップラー式超音波流速分布計に関する。
【背景技術】
【０００２】
クランプオン型超音波流量計は、管状体の外周面の一部に装着し、その管状体の内部を移動する流体の流量を、管状体の外側から測定する流量計である。このようなクランプオン型超音波流量計は、主に、伝搬時間差式とドップラー式に分類できる。
【０００３】
伝搬時間差式は、超音波を、管状体の内部を移動する流体を斜めに横切るような経路で往復させて、超音波が往路と復路のそれぞれを伝搬するのに要する時間の差から、流体の流量を測定する方法である。一方、ドップラー式は、流体中に含まれる浮遊粒子や気泡が、流体と同じ速度で移動すると仮定して、浮遊粒子などの移動速度から流体の流量を測定する方法である。浮遊粒子などの移動速度は、流体中に超音波を送信して、浮遊粒子などに反射された超音波の周波数がドップラー効果により変化することから、超音波の周波数を検出することにより測定する。
【０００４】
ここで、図５は特開２０００−９７７４２号で提案されている従来のドップラー式超音波流速分布計を示す簡略的な構成図である。ドップラー式超音波流量計１１０は、配管１１１内を流れる流体１１２の流速を非接触で測定する超音波速度分布計測ユニット（以下、ＵＶＰユニットという。) １１３を備える。ＵＶＰユニット１１３は、流体１１２に測定線ＭＬに沿って所要周波数(基本周波数ｆ0 )の超音波パルスを送信させる超音波送信手段１１５と、流体１１２に入射された超音波パルスの測定領域から反射された超音波エコーを受信し、測定領域における流体１１２の流速分布を測定する流体速度分布測定手段１１６と、流体１１２の流速分布に基づいて演算処理して半径方向の積分を行ない、流体１１２の流量を時間依存で求める流量演算手段としてのマイコン、ＣＰＵ、ＭＰＵ等のコンピュータ１１７と、このコンピュータ１１７からの出力を時系列的に表示可能な表示装置１１８とを有する。
【０００５】
超音波送信手段１１５は、所要周波数、例えば１MHz,２MHz,４MHz等の基本周波数ｆ0 の電気信号を発生させる発振器（オッシレータ）１２０と、この発振器１２０からの電気信号を所定の時間間隔(１／Ｆrpf )毎にパルス状に出力するエミッタ１２１(周波数Ｆrpf )とからなる信号発生器１２２を備え、この信号発生器１２２から基本周波数f0 のパルス電気信号が超音波トランスジューサ１２３に入力される。超音波トランスジューサ１２３は、パルス電気信号の印加により基本周波数ｆ0 の超音波パルスが測定線ＭＬに沿って発信せしめられる。超音波パルスは、例えばパルス幅５mm程度で拡がりをほとんど持たない直進性のビームである。
【０００６】
このような超音波トランスジューサ１２３は、送受信器を兼ねており、発信された超音波パルスが流体中の反射体に当って反射される超音波エコーを受信するようになっている。反射体は、流体１１２中に一様に含まれる気泡であったり、Ａｌの微粉末等のパーティクルであったり、又は流体１１２とは音響インピーダンスが異なる異物である。
【０００７】
超音波エコーは、超音波トランスジューサ１２３に受信され、エコー電気信号に変換される。このエコー電気信号は、増幅器１２４で増幅された後、ＡＤ変換器１２５を通ってデジタル化され、このデジタルエコー信号が流速分布計測回路１２６に入力される。流速分布計測回路１２６には、発振器１２０からの基本周波数ｆ0 の電気信号が入力され、両信号の周波数差からドップラーシフトに基づく流速の変化を計測し、測定線ＭＬに沿う測定領域の流速分布を算出している。測定領域の流速分布を傾斜角αで補正することで配管１１１の横断面における流速分布を計測することができる。
【０００８】
次に、上述した従来のドップラー式超音波流量計１１０の動作原理について、図６（Ａ）〜（Ｃ）を参照しつつ説明する。図６（Ａ）に示すように、超音波トランスジューサ１２３を配管１１１の流れの鉛直方向に対し角度αだけ被測定体の流れ方向に傾けて設置した状態で、超音波トランスジューサ１２３から所要周波数ｆ0 の超音波パルスを入射させると、この超音波パルスは、測定線ＭＬ上の流体１１２に一様に分布する反射体に当って反射し、図６（Ｂ）に示すように、超音波エコーａとなって超音波トランスジューサ１２３に戻される。なお、同図（Ｂ）において符号ｂは超音波パルス入射側の管壁で反射する多重反射エコーであり、符号ｃは、反対側管壁で反射する多重反射エコーである。超音波トランスジューサ１２３から発信される超音波パルスの発信間隔は１／Ｆrpfである。
【０００９】
そして、超音波トランスジューサ１２３で発信したエコー信号をフィルタリング処理し、ドップラーシフト法を利用して測定線ＭＬに沿って流速分布を計測すると、図６（Ｃ）のように表示される。この流速分布はＵＶＰユニット１１３の流体速度分布測定手段１１６で測定することができる。
【００１０】
ここで、ドップラーシフト法は、配管１１１内を流れる流体１１２中に超音波パルスを放射すると、流体１１２中に混在あるいは一様分布の反射体によって反射され、超音波エコーとなり、この超音波エコーの周波数が流速に比例した大きさだけ周波数シフトする原理を応用したものである。
【００１１】
また、超音波流体速度分布測定手段１１６で測定された流体１１２の流速分布信号は流量演算手段としてのコンピュータ１１７に送られ、ここで径方向流速分布信号を配管１１１の半径方向に積分し、流体１１２の流量を時間依存で求めることができる。この流体１１２の時ｔにおける流量をm（ｔ）とすると、下記（２）式で表わすことができる。
【００１２】
【数３】
2005241628.tif 000003
【００１３】
但し、ρ：流体の密度，ｖ（ｘ・ｔ）：時間ｔにおける速度成分（ｘ方向）
上記（２）式から配管１１１を流れる時間ｔの流量m（ｔ）は、下記（３）式に書き換えることができる。
【００１４】
【数４】
2005241628.tif 000004
【００１５】
但し、ｖｘ（ｒ・θ・ｔ）：時間ｔにおける配管横断面上の中心から距離ｒ，角度θの管軸方向の速度成分
以上のような計測原理から分かるように、ドップラー式超音波流速分布計による流量測定は、超音波の反射体からの超音波エコーを信号処理から流速分布を求め、配管の断面積で積分処理を行うことで算出する。
【００１６】
このため高精度な流量測定を行うには、超音波エコー信号から求めた流速分布が精度良く、計測され、演算されている必要がある。下記に超音波エコー信号より求めたドップラー周波数ｆdより流速ｖを求める計算式を下記（４）式に記述する。
【００１７】
【数５】
2005241628.tif 000005
【００１８】
但し、ｖ：流体の流速，Ｃf：流体の音速，θf：水中入射角，ｆd：ドップラー周波数，ｆ0：超音波トランスジューサからの送信周波数
【特許文献１】特開２００１−１２４６０３号公報
【特許文献２】特開２０００−９７７４２号公報
【特許文献３】特開平１０−２８１８３２号公報
【発明の開示】
【発明が解決しようとする課題】
【００１９】
上述した従来のドップラー式超音波流速分布計では、上記（４）式に基づいて、超音波エコーのドップラー周波数ｆdから流体の流速ｖの分布を求め、これを配管の断面積で積分処理することによって前記流体の流量を算出していた。
【００２０】
しかし、上記（４）式に基づいて流速ｖを算出する場合、ドップラー周波数ｆdから流速ｖを演算するには、流体の音速Ｃf、水中入射角度θf、トランスジューサからの送信周波数ｆ0が必要となる。例えば、金属配管へクランプオンで流量を高精度に計測しようとすると、流体の音速Ｃfと、水中入射角θfを知る必要がある。このため従来技術では、音速Ｃfが不明な流体を測定する場合には、この流体の音速Ｃfを事前に調査する必要があった。
【００２１】
また、一般に物質の音速は温度依存性を有するため、配管内の流体の温度変化によってその音速Ｃfが変化してしまい事前調査した値と誤差が生じてしまう。これに加え、クランプオン型の場合には、楔の温度変化によってその音速Ｃwも変化してしまい、スネルの法則（後述する（５）式参照）に従って、これら音速Ｃf，Ｃwの変化により流体内の超音波傾斜角θfも変化してしまう。したがって、上述した従来のドップラー式超音波流速分布計では、配管内流体の流量を高精度に計測するためには、流体の音速Ｃfと楔の音速Ｃwの変化により、水中入射角θfも変化するため、流体の音速Ｃf及び楔の音速Ｃwを共に正確に把握しなければ、流体の流速及び流量を高精度に算出することができないという問題があった。
【００２２】
本発明は上記問題点に鑑みてなされたものであり、流体及び楔の音速が不明な場合であっても何ら事前調査を要することなく、該流体の流速及び流量を高精度に測定することができるクランプオン型のドップラー式超音波流速分布計を提供することを目的とする。
【課題を解決するための手段】
【００２３】
上記目的を達成するために、第１の本発明に係るドップラー式超音波流速分布計は、配管の外壁面に設置した超音波送受信手段から該配管内の流体へ超音波を発信し、該流体内の反射体に反射された超音波エコーのドップラー周波数に基づき、前記流体内の流速分布を計測するクランプオン型のドップラー式超音波流速分布計において、前記超音波送受信手段の超音波振動子と前記配管の外壁面との間に、該超音波振動子を所定角度に傾斜させて超音波を前記流体に伝送するための楔を介在させ、該楔の温度を温度センサーにより測定するとともに、該測定結果から楔の音速を導き出し、これら楔の音速，ドップラー周波数，楔の超音波傾斜角及び超音波送受信手段の送信周波数を、下記（１）式に代入し前記流体の流速を算出する構成としてある。
【００２４】
【数６】
2005241628.tif 000006
【００２５】
但し、ｖ：流体の流速，Ｃw：楔の音速，θw：楔内の超音波傾斜角，ｆd：ドップラー周波数，ｆ0：超音波送受信手段の送信周波数
また、上記目的を達成するために、第２の本発明に係るドップラー式超音波流速分布計は、配管の外壁面に設置した超音波送受信手段から該配管内の流体へ超音波を発信し、該流体内の反射体に反射された超音波エコーのドップラー周波数に基づき、前記流体内の流速分布を計測するクランプオン型のドップラー式超音波流速分布計において、前記超音波送受信手段の超音波振動子と前記配管の外壁面との間に、該超音波振動子を所定角度に傾斜させて超音波を前記流体に伝送するための第１楔を介在させ、一方、前記流体の進行方向を基準にして前記第１楔よりも後方に、該第１楔とほぼ同一構成の第２楔を配置し、該第２楔における前記第１楔の超音波送受信手段の超音波振動子と前記配管の外壁面との中間部に対応する部分の温度を温度センサーにより測定し、該測定結果から楔の音速を導き出し、これら楔の音速，ドップラー周波数，楔の超音波傾斜角及び超音波送受信手段の送信周波数を、下記（１）式に代入し前記流体の流速を算出する構成としてある。
【００２６】
【数７】
2005241628.tif 000007
【００２７】
但し、ｖ：流体の流速，Ｃw：楔の音速，θw：楔内の超音波傾斜角，ｆd：ドップラー周波数，ｆ0：超音波送受信手段の送信周波数
好ましくは、上記各ドップラー式超音波流速分布計における、前記温度センサーを感温抵抗とし、該温度センサーを前記楔又は第２楔とほぼ同等の膨張係数を有する充填材とともに該楔又は第２楔に埋設した構成としてもよい。
【発明の効果】
【００２８】
上記構成からなる本発明のドップラー式超音波流速分布計によれば、流体の音速と流体内の超音波傾斜角とを、スネルの法則に基づいて、楔の音速と楔内の超音波傾斜角（＝楔の傾斜角）とに置き換えて流速を算出することにより、温度変化の影響を考慮した高精度な流速及び流量の測定を行うことができる。
【００２９】
また、従来技術では、流体の音速及び流体の超音波傾斜角という二つの要素を事前調査しなければならず、音速が不明な流体を対象とする場合はその音速を事前調査する手間がかかるという問題があったが、本ドップラー式超音波流速分布計では、楔の温度変化と音速の関係を一度だけ事前調査すれば、同じ材料の楔を使用する限り二度と事前調査を要しないで高精度な流速及び流量の測定を行うことができる。
【００３０】
さらに、超音波振動子と温度センサーとをそれぞれ別個の第１楔と第２楔とに設け、第２楔における第１楔の超音波振動子と配管の外壁面との中間部に対応する部分の温度を、温度センサーにより測定する構成とした場合は、第１楔における音波の伝搬経路上の中間点の温度を温度センサーによって擬似的に測定することができ、超音波振動子を有する第１楔のより正確な温度の計測が可能となる。また、超音波振動子と温度センサーとをそれぞれ別個の第１楔と第２楔とに設けているので、温度センサーが超音波振動子の音波の伝播経路と干渉しない。これにより、流速及び流量をより高精度に測定することが可能となる。
【００３１】
これに加え、温度センサーを楔又は第２楔とほぼ同等の膨張係数を有する充填材とともに埋設したことにより、楔又は第２楔の温度変化による膨張・収縮に伴って充填材も膨張・収縮するので、温度センサーが外気に曝されることなく楔又は第２楔（これに対応する第１楔）の温度を正確に検知することができる。
【発明を実施するための最良の形態】
【００３２】
以下、本発明の実施形態に係るドップラー式超音波流速分布計について、図面を参照しつつ説明する。まず、本発明の第１実施形態に係るドップラー式超音波流速分布計について、図１〜図３を参照しつつ説明する。図１は本発明の第１実施形態に係るドップラー式超音波流速分布計を示す簡略的な構成図、図２は上記ドップラー式超音波流速分布計の楔周辺部の拡大図，図３は楔に用いるアクリルの温度変化と音速の関係を示すグラフである。
【００３３】
図１において、１は本実施形態に係るクランプオン型のドップラー式超音波流速分布計であり、超音波送受信手段１０（図中の波線で囲まれた部分参照），増幅器２０，ＡＤ変換器３０，流速分布計測手段４０，流量演算手段５０及び表示装置６０を備えている。なお、７０は配管であり、８０は該配管内を流れる流体である。
【００３４】
超音波送受信手段１０は、送信周波数ｆ0の電気信号を発生する発振器１１と、この発振器１１からの電気信号を所定の時間間隔（１／Ｆrpf）毎にパルス状に出力するエミッタ１２と、ＰＺＴ（ジルコン・チタン酸鉛）などの圧電材料からなり、エミッタ１２からのパルス電気信号の印加により送信周波数ｆ0の超音波パルスを発信し、反射された超音波エコーを受信する超音波振動子１３と、該超音波パルスを配管７０に伝送する所定材料により形成した楔１４と、該楔１４に埋設した温度センサー１５とで構成してある。
【００３５】
ここで、楔１４は、アクリルやポリ塩化ビニル等の樹脂材料からなり、配管７０を流れる流体８０の進行方向と逆方向に下降傾斜する傾斜面１４ａを有している。該傾斜面１４ａには、例えば、エポキシ系の接着剤などにより前記超音波振動子１３が接着してあり、これと対向する底面１４ｂは、配管７０の外壁面に当接している。このような構成からなる楔１４は、図示しない金属ベルト，布ベルト又はばね等を巻き付けることによって、既存の配管７０に設置（クランプオン）してある。
【００３６】
また、温度センサー１５は、熱電対，測温抵抗体又はサーミスタ等の感温抵抗であり、楔１４における超音波振動子１３が発信した超音波パルスの伝播経路（図２中の破線参照）と干渉しない位置に孔１４ｃを穿設し、該孔１４ｃに楔１４とほぼ同等の膨張係数を有する充填材１５ａとともに埋設してある。
【００３７】
増幅器２０は、超音波振動子１３からのエコー電気信号と、温度センサー１５からの温度電気信号とを受信して増幅した後、これら二種の電気信号をＡＤ変換器３０に送信する。ＡＤ変換器３０は、増幅器２０からエコー電気信号及び温度電気信号を受信する一方で、発振器１１から送信周波数ｆ0の電気信号を受信し、これら三種の電気信号をデジタル化して流速分布計測手段４０に送信する。
【００３８】
流速分布計測手段４０は、これら三種のデジタル信号を受信して、デジタル化された送信周波数ｆ0とデジタルエコー信号の周波数差に基づいてドップラー周波数ｆdを算出するとともに、デジタル温度信号に基づいて楔１４の音速Ｃwを導き出す。
【００３９】
ここで、楔１４の音速Ｃwは、例えば、図３に示すアクリルの温度変化と音速の関係のように、サンプル材料の温度変化と音速の関係を実験等により事前調査し、流速分布計測手段４０にあらかじめ演算式又はデータとして保持してある。
【００４０】
また、流速分布計測手段４０には、楔１４内の超音波傾斜角θwの値をあらかじめ設定してある。より具体的に、本実施形態では、該楔１４内の超音波傾斜角θwを楔１４の傾斜角、すなわち、楔１４の傾斜面１４ａの角度とみなして、温度変化に左右されない一定の値としている。
【００４１】
そして、流速分布計測手段４０は、これら楔１４の音速Ｃw，楔１４内の超音波傾斜角θw，ドップラー周波数ｆd及び送信周波数ｆ0を下記（１）式に代入し流体８０の流速ｖを求め、測定領域における流速分布を算出する。
【００４２】
【数８】
2005241628.tif 000008
【００４３】
但し、ｖ：流体の流速，Ｃw：楔の音速，θw：楔内の超音波傾斜角，ｆd：ドップラー周波数，ｆ0：超音波送受信手段の送信周波数
ここで、上記（１）式に基づく流速ｖの計測原理について詳細に説明する。上述した通り、配管７０内の流体８０の音速Ｃfはその温度変化に伴って変化するものであるが、当該流体８０の温度変化をクランプオンで正確に測定することはできない。そこで、温度変化を考慮した高精度な測定を行うべく、下記（５）式に表されるスネルの法則に基づいて下記（６）式を導き、従来の上記（４）式における流体８０の音速Ｃfと流体８０内の超音波傾斜角θfとを、楔１４の音速Ｃwと楔１４内の超音波傾斜角θwとに置き換えて流体８０の流速ｖを算出することとしている。
【００４４】
【数９】
2005241628.tif 000009
【００４５】
但し、Ｃw：楔の音速，Ｃp：配管材の音速，Ｃf：流体の音速，θw：楔内の超音波傾斜角，θp：配管材内の超音波傾斜角，θf：流体の超音波傾斜角
【００４６】
【数１０】
2005241628.tif 000010
【００４７】
但し、ｖ：流体の流速，Ｃf：流体の音速，θf：流体内の超音波傾斜角，Ｃw：楔の音速，θw：楔内の超音波傾斜角
上述したように、楔１４内の超音波傾斜角θwは、楔１４の傾斜面１４ａの角度とみなしているので、この値が温度変化によらず一定となり、温度センサー１５の検知結果に基づいて楔１４の音速Ｃwを温度補正しながら正確に算出することにより、流体８０の流速ｖを高精度に計測することができる。例えば、図３のアクリルの温度変化と音速の関係より、温度２０℃の音速は２７６０［ｍ／ｓ］、温度２５℃の音速は２７４０［ｍ／ｓ］で約１％音速が違う。この約１％は直接流速ｖの誤差に影響するので、楔１４の温度を測定して温度補正を行う必要がある。
【００４８】
流量演算手段５０は、流速分布計測手段４０からの流速分布に基づいて、配管７０の半径方向の積分を行ない、流体８０の流量を時間依存で算出する。表示装置６０は、流量演算手段５０の算出結果を時系列的に表示する。
【００４９】
上記構成からなる本実施形態のドップラー式超音波流速分布計によれば、流体８０の音速Ｃfと流体８０内の超音波傾斜角θfとを、スネルの法則に基づいて、楔１４の音速Ｃwと楔１４内の超音波傾斜角（＝楔の傾斜角）θwとに置き換えて流速ｖを算出することにより、温度変化の影響を考慮した高精度な流速ｖ及び流量の測定を行うことができる。
【００５０】
また、従来技術では、流体８０の音速Ｃf及び流体８０の超音波傾斜角θfという二つの要素を事前調査しなければならず、音速Ｃfが不明な流体を対象とする場合はその音速Ｃfを事前調査する手間がかかるという問題があったが、本ドップラー式超音波流速分布計では、楔１４の温度変化と音速Ｃwの関係を一度だけ事前調査すれば、同じ材料の楔１４を使用する限り二度と事前調査を要しないで高精度な流速ｖ及び流量の測定を行うことができる。
【００５１】
さらに、温度センサー１５を楔１４とほぼ同等の膨張係数を有する充填材１５ａとともに埋設したことにより、楔１４の温度変化による膨張・収縮に伴って充填材１５ａも膨張・収縮するので、温度センサー１５が外気に曝されることなく楔１４の温度を正確に検知することができる。これにより、流速ｖ及び流量をより高精度に測定することが可能となる。
【００５２】
次に、本発明の第２実施形態に係るドップラー式超音波流速分布計について、図４を参照しつつ説明する。図４は本発明の第２実施形態に係るドップラー式超音波流速分布計の楔周辺部の拡大図である。なお、上記第１実施形態と同様の箇所については、同一符号を付して詳細な説明は省略する。
【００５３】
同図において、本実施形態のドップラー式超音波流速分布計２は、主として、超音波振動子１３と温度センサー１５とをそれぞれ別個の第１楔１６と第２楔１７とに設け、第２楔１７における第１楔１６の超音波振動子１３と配管７０の外壁面との中間部Ｐ１に対応する部分Ｐ２の温度を、温度センサー１５により測定することにより、第１楔１６における音波の伝搬経路上の中間点の温度を温度センサー１５によって擬似的に測定する構成としてある。
【００５４】
第１楔１６は、上述した楔１４（図１及び図２参照）と同様に、アクリルやポリ塩化ビニル等の樹脂材料からなり、配管７０を流れる流体８０の進行方向と逆方向に下降傾斜する傾斜面１６ａを有している。該傾斜面１６ａには、例えば、エポキシ系の接着剤などにより超音波振動子１３が接着してあり、これと対向する底面１６ｂは、配管７０の外壁面に当接している。
【００５５】
第２楔１７は、第１楔１６と同一構成、すなわち、同一形状、同一寸法かつ同一材料により形成してあり、第１楔１６の傾斜面１６ａ及び底面１６ｂと同一の、傾斜面１７ａ及び底面１７ｂを有している。また、第２楔１７の傾斜面１７ａには、第１楔１６内の超音波傾斜角θwと同じ角度で傾く孔１６ｃが穿設してあり、該孔１６ｃには、第２楔１７とほぼ同等の膨張係数を有する充填材１５ａとともに温度センサー１５が埋設してある。該温度センサー１５は、第２楔１７における第１楔１６の超音波振動子１３と配管７０の外壁面との中間部Ｐ１に対応する部分Ｐ２の温度を測定する。
【００５６】
これら第１及び第２楔１６，１７は、ハウジング１８内に接着等により固定してあり、配管７０を流れる流体８０の進行方向を基準にして、第１楔１６よりも後方に第２楔１７を配置してある。また、ハウジング１８を、図示しない金属ベルト，布ベルト又はばね等を巻き付けることによって、既存の配管７０に設置（クランプオン）可能となっている。さらに、図示しないが、超音波振動子１３及び温度センサー１５は、図１に示すような超音波送受信手段１０の構成部材であり、超音波振動子１３はエミッタ１２、温度センサー１５は増幅器２０に接続してある。
【００５７】
上述した第１実施形態と同様の手順で、温度センサー１５が測定した第２楔１７の部分Ｐ２の温度に基づき、例えば、図３に示すアクリルの温度変化と音速の関係より、第２楔１７の音速ＣWを正確に算出し、これを下記（１）式へ代入すると、より正確な流速ｖを求めることができる。
【００５８】
【数１１】
2005241628.tif 000011
【００５９】
但し、ｖ：流体の流速，Ｃw：楔の音速，θw：楔内の超音波傾斜角，ｆd：ドップラー周波数，ｆ0：超音波送受信手段の送信周波数
このような本実施形態のドップラー式超音波流速分布計によれば、超音波振動子１３と温度センサー１５とをそれぞれ別個の第１楔１６と第２楔１７とに設け、第２楔１７における第１楔１６の超音波振動子１３と配管７０の外壁面との中間部Ｐ１に対応する部分Ｐ２の温度を、温度センサー１５により測定することができる。これにより、第１楔１６における音波の伝搬経路上の中間点Ｐ１の温度を温度センサー１５によって擬似的に測定することができ、超音波振動子１３を有する第１楔１６のより正確な温度の計測が可能となる。また、超音波振動子１３と温度センサー１５とをそれぞれ別個の第１楔１６と第２楔１７とに設けているので、温度センサー１５が超音波振動子１３の音波の伝播経路と干渉しない。この結果、流体８０の流速ｖ及び流量をより高精度に測定することが可能となる。
【図面の簡単な説明】
【００６０】
【図１】本発明の第１実施形態に係るドップラー式超音波流速分布計を示す簡略的な構成図である。
【図２】本発明の第１実施形態に係るドップラー式超音波流速分布計の楔周辺部の拡大図である。
【図３】本発明の第１実施形態に係るドップラー式超音波流速分布計の楔に用いるアクリルの温度変化と音速の関係を示すグラフである。
【図４】本発明の第２実施形態に係るドップラー式超音波流速分布計の楔周辺部の拡大図である。
【図５】従来のドップラー式超音波流速分布計を示す簡略的な構成図である。
【図６】同図（Ａ）〜（Ｃ）は、従来のドップラー式超音波流速分布計による流量測定における作動原理の説明面である。
【符号の説明】
【００６１】
１，２  ドップラー式超音波流速分布計
１０  超音波送受信手段
１１  発振器
１２  エミッタ
１３  超音波振動子
１４  楔
１４ａ  傾斜面
１４ｂ  底面
１４ｃ  孔
１５  温度センサー
１５ａ  充填材
１６  第１楔
１７  第２楔
１６ａ，１７ａ  傾斜面
１６ｂ，１７ｂ  底面
１７ｃ  孔
１８  ハウジング
２０  増幅器
３０  ＡＤ変換器
４０  流速分布計測手段
５０  流量演算手段
６０  表示装置
【図１】
2005241628.tif 000014
【図２】
2005241628.tif 000015
【図３】
2005241628.tif 000016
【図４】
2005241628.tif 000017
【図５】
2005241628.tif 000018
【図６】
2005241628.tif 000019